(57)【要約】【課題】ユーザーの番組の視聴を妨げずに、目的とする画像を選択して印刷を実行することができる受信装置を提供する。【解決手段】受信装置２００は、受信手段２０２で受信した放送画像を表示する表示部２０９を備え、該表示部２０９に表示された放送画像を印刷装置に送信する機能を有する。そして、印刷予約命令に基づいて放送画像を印刷用記録領域２１１に記録する記録手段と、印刷予約命令の実行時に視聴していた番組の視聴を妨げない条件であるかどうかを判別する判別手段を備える。また、判別手段により番組の視聴を妨げない条件と判別された場合、記録手段により記録されていた放送画像により印刷プレビューを表示する表示手段２０８を備える。記録手段、判別手段は、印刷制御部２１２がその機能を有する。【選択図】図１
2008148130.tif 000002
【特許請求の範囲】
【請求項１】
受信手段で受信した放送画像を表示する表示部を備え、該表示部に表示された放送画像を印刷装置に送信する機能を有する受信装置において、
印刷予約命令に基づいて放送画像を印刷用記録領域に記録する記録手段と、
印刷予約命令の実行時に視聴していた番組の視聴を妨げない条件であるかどうかを判別する判別手段と、
前記判別手段により番組の視聴を妨げない条件と判別された場合、前記記録手段により記録されていた放送画像により印刷プレビューを表示する表示手段と、
を備えることを特徴とする受信装置。
【請求項２】
前記表示手段は、印刷ジョブが実行されていない状態で受信装置の電源がオンされた場合に印刷プレビューを表示することを特徴とする請求項１記載の受信装置。
【請求項３】
前記記録手段は、印刷予約命令を受ける以前の放送画像も記録し、
前記表示手段は、印刷予約命令を受ける以前の放送画像の印刷プレビューも表示することを特徴とする請求項１記載の受信装置。
【請求項４】
前記記録手段は、放送画像に加えて少なくとも番組名、放送日時、放送局の情報を記録することを特徴とする請求項１記載の受信装置。
【請求項５】
前記判別手段により番組の視聴を妨げない条件と判別された場合、
前記表示手段は、印刷装置の電源がオンで無い場合には、印刷プレビューの代わりに電源がオンになっていない旨報知する警告を表示することを特徴とする請求項１記載の受信装置。
【請求項６】
前記判別手段により番組の視聴を妨げない条件と判別された場合、
前記表示手段は、印刷装置のインク残量が少ない場合には、印刷プレビューの代わりにインク残量が少ない旨報知する警告を表示することを特徴とする請求項１記載の受信装置。
【請求項７】
受信手段で受信した放送画像を表示する表示部を備え、該表示部に表示された放送画像を印刷装置に送信する機能を有する受信装置の制御方法において、
印刷予約命令に基づいて放送画像を印刷用記録領域に記録する記録ステップと、
印刷予約命令の実行時に視聴していた番組の視聴を妨げない条件であるかどうかを判別する判別ステップと、
前記判別ステップにより番組の視聴を妨げない条件と判別された場合、前記記録ステップにより記録されていた放送画像により印刷プレビューを表示する表示ステップと、
を備えることを特徴とする受信装置の制御方法。
【請求項８】
前記表示ステップは、印刷ジョブが実行されていない状態で受信装置の電源がオンされた場合に印刷プレビューを表示することを特徴とする請求項７記載の受信装置の制御方法。
【請求項９】
前記記録ステップは、印刷予約命令を受ける以前の放送画像も記録し、
前記表示ステップは、印刷予約命令を受ける以前の放送画像の印刷プレビューも表示することを特徴とする請求項７記載の受信装置の制御方法。
【請求項１０】
前記記録ステップは、放送画像に加えて少なくとも番組名、放送日時、放送局の情報を記録することを特徴とする請求項７記載の受信装置の制御方法。
【請求項１１】
前記判別ステップにより番組の視聴を妨げない条件と判別された場合、
前記表示ステップは、印刷装置の電源がオンで無い場合には、印刷プレビューの代わりに電源がオンになっていない旨報知する警告を表示することを特徴とする請求項７記載の受信装置の制御方法。
【請求項１２】
前記判別ステップにより番組の視聴を妨げない条件と判別された場合、
前記表示ステップは、印刷装置のインク残量が少ない場合には、印刷プレビューの代わりにインク残量が少ない旨報知する警告を表示することを特徴とする請求項７記載の受信装置の制御方法。
【請求項１３】
受信手段で受信した放送画像を表示する表示部を備え、該表示部に表示された放送画像を印刷装置に送信する機能を有する受信装置の制御プログラムにおいて、
印刷予約命令に基づいて放送画像を印刷用記録領域に記録する記録モジュールと、
印刷予約命令の実行時に視聴していた番組の視聴を妨げない条件であるかどうかを判別する判別モジュールと、
前記判別モジュールにより番組の視聴を妨げない条件と判別された場合、前記記録モジュールにより記録されていた放送画像により印刷プレビューを表示する表示モジュールと、
をコンピュータに実行させることを特徴とする受信装置の制御プログラム。
【請求項１４】
請求項１３記載の受信装置の制御プログラムを格納するコンピュータ読み取り可能な記憶媒体。
【発明の詳細な説明】
【技術分野】
【０００１】
本発明は、受信手段で受信した放送画像を表示する表示部を備え、表示部に表示された放送画像を印刷装置に送信する機能を有する受信装置及びその制御方法、並びにプログラム及び記憶媒体に関する。
【背景技術】
【０００２】
デジタル放送波の実用化に伴い、デジタルテレビ信号により送られてくる画像は高精細な画像となった。このような中、放送画像を印刷する需要が高まっていくものと考えられる。そして、最もユーザーが欲しい印刷画像を印刷するためには、動画における複数のコマの中から選択して印刷するために印刷プレビューを表示することが望ましい。しかしながら、印刷プレビューを表示する場合、番組の視聴を妨げてしまうという問題がある。
【０００３】
ここで、テレビを視聴中に印刷命令を受信した場合には、印刷用のプレビュー画面を受信装置の表示部に「ピクチャー・イン・ピクチャー」で表示することで、視聴しながら印刷プレビューを実施する技術が提案されている（特許文献１参照）。
【０００４】
また、特許文献２には、以下の技術が開示されている。第１の表示画面に表示された画像や映像に連動した印刷物の印刷を行う際の、印刷プレビュー表示で、プレビュー表示可能な第２の表示画面が存在する場合、第２の表示画面に印刷プレビュー画面を表示し、更にメモなどを挿入する。
【特許文献１】特開２００１−５４０６０号公報
【特許文献２】特開２００５−３４６２３６号公報
【発明の開示】
【発明が解決しようとする課題】
【０００５】
しかしながら、特許文献１の技術では、視聴中の画面が小さくなるため、印刷実行したいユーザー以外のユーザーの意図する視聴画面を変更してしまう恐れがあった。また、特許文献２の技術では、第２の画面が必要であるため、全ての機器に実装することは難しい。また、従来の技術では、視聴しながら印刷画像を選択する必要があるため、適正な選択が行われない場合が生じた。
【０００６】
本発明の目的は、ユーザーの番組の視聴を妨げずに、目的とする画像を選択して印刷を実行することができる受信装置及びその制御方法、並びにプログラム及び記憶媒体を提供することにある。
【課題を解決するための手段】
【０００７】
上記目的を達成するために、請求項１記載の受信装置は、受信手段で受信した放送画像を表示する表示部を備え、該表示部に表示された放送画像を印刷装置に送信する機能を有する受信装置において、印刷予約命令に基づいて放送画像を印刷用記録領域に記録する記録手段と、印刷予約命令の実行時に視聴していた番組の視聴を妨げない条件であるかどうかを判別する判別手段と、前記判別手段により番組の視聴を妨げない条件と判別された場合、前記記録手段により記録されていた放送画像により印刷プレビューを表示する表示手段とを備えることを特徴とする。
【０００８】
請求項７記載の受信装置の制御方法は、受信手段で受信した放送画像を表示する表示部を備え、該表示部に表示された放送画像を印刷装置に送信する機能を有する受信装置の制御方法において、印刷予約命令に基づいて放送画像を印刷用記録領域に記録する記録ステップと、印刷予約命令の実行時に視聴していた番組の視聴を妨げない条件であるかどうかを判別する判別ステップと、前記判別ステップにより番組の視聴を妨げない条件と判別された場合、前記記録ステップにより記録されていた放送画像により印刷プレビューを表示する表示ステップとを備えることを特徴とする。
【０００９】
請求項１３記載の受信装置の制御プログラムは、受信手段で受信した放送画像を表示する表示部を備え、該表示部に表示された放送画像を印刷装置に送信する機能を有する受信装置の制御プログラムにおいて、印刷予約命令に基づいて放送画像を印刷用記録領域に記録する記録モジュールと、印刷予約命令の実行時に視聴していた番組の視聴を妨げない条件であるかどうかを判別する判別モジュールと、前記判別モジュールにより番組の視聴を妨げない条件と判別された場合、前記記録モジュールにより記録されていた放送画像により印刷プレビューを表示する表示モジュールとをコンピュータに実行させることを特徴とする。
【００１０】
請求項１４記載のコンピュータ読み取り可能な記憶媒体は、請求項１３記載の受信装置の制御プログラムを格納する。
【発明の効果】
【００１１】
以上、本発明によれば、ユーザーの番組の視聴を妨げずに、目的とする画像を選択して印刷を実行することができる。
【発明を実施するための最良の形態】
【００１２】
以下、本発明の実施の形態を図面を参照しながら詳細に説明する。
【００１３】
図１は、本発明の実施の形態に係る受信装置を含む受信システムの構成図である。
【００１４】
図１において、本受信システムは、放送局１００と、受信装置２００と、印刷装置３００とから構成される。放送局１００から送られてきた放送波により受信装置２００が放送を受信して、表示部２０９に画像を表示し、所望の画像をリモコン２２０で選択して、印刷装置３００で印刷する。
【００１５】
以下、その構成を動作と併せて説明する。
【００１６】
放送局１００では、番組生成手段１０１によりニュース、ドラマ、音楽、スポーツ、映画及びショッピングなどの番組の画像、音声のストリームデータを生成する。また、接続データ生成手段１０２により、番組データを保管する文字情報、解説情報などの番組に関連するデータを生成する。
【００１７】
多重化送信手段１０３は、番組生成手段１０１と接続データ生成手段１０２により生成されたデータをデジタルテレビトランスポート・ストリーム構造に従い多重化し、伝送信号を生成する。送信アンテナ１０４は、この多重化送信手段１０３で生成した信号をデジタルテレビ信号として送信する。
【００１８】
受信装置２００は、放送局１００から伝送されたデジタルテレビ信号を受信する受信アンテナ２０１によりデジタルテレビ信号を受信する。受信手段２０２は、この受信アンテナ２０１が受信したデジタルテレビ信号から所望の放送チャンネルを選局復調する。
【００１９】
データストリーム分離手段２０３は、受信手段２０２で選局復調したチャンネルのデジタルトランスポート・ストリーム信号のデータストリームから番組データと保存データを分離し出力する。
【００２０】
番組復号化手段２０４は、データストリーム分離手段２０３で分離された番組データをデコードする。データ記録領域２０５は、データストリーム分離手段２０３により分離された保存データを記録する。
【００２１】
データデコード手段２０６は、データ記録領域２０５により保存されたデータをデコードする。データデコード手段２０６によりデータがデコードされ、画像合成手段２０７に送られ、データストリームと合成される。
【００２２】
表示手段２０８は、番組復号化手段２０４でデコードされた信号を基に、映像と音声で表示部２０９へ出力する。表示部２０９は、入力された映像と音声を表示する。また、番組復号化手段２０４により復号化されたストリーミングデータは、ストリーム記録領域２１０により保存される。ストリーム記録領域２１０は、例えば、リングバッファ形式で一定時間のストリームを常に保持するものが考えられる。
【００２３】
印刷用記録領域２１１は、ストリーム記録領域２１０の中で、印刷を実行するための画像データを保持する記録領域である。印刷制御部２１２は、印刷に関する制御を担う制御部であり、ユーザーＩ／Ｆ手段２１３からの印刷命令により、印刷装置３００に対して印刷命令を実行する。
【００２４】
例えばユーザーＩ／Ｆ手段２１３からの印刷命令を受けて、印刷用記録領域２１１から印刷用の画像データを取得し、印刷装置３００に対して印刷用記録領域２１１から取得した印刷用の画像データを送信して印刷を実行する。
【００２５】
ユーザーＩ／Ｆ手段２１３は、視聴者であるユーザーからの要求をリモコン２２０から受信する。例えばユーザーＩ／Ｆ手段２１３は、受信したチャンネル切り替え命令を受信手段２０２に送信してチャンネル切り替えを行うものとする。
【００２６】
電源管理部２１４は、受信装置２００全体の電源を管理するモジュールであり、ユーザーＩ／Ｆ手段２１３からの要求により電源のオン／オフを行う。予約管理部２１５は、視聴予約や、録画予約、番組表などを管理する。
【００２７】
データデコード手段２０６がＳＩ（Service Information）から抽出した番組情報をユーザーＩ／Ｆ手段２１３が受信して、予約管理部２１５に予約時刻及びチャンネル番号情報などが送られ、予約管理部２１５で電子番組表を構成する。また、予約管理部２１５は、リモコン２２０から受けた予約命令を受信したユーザーＩ／Ｆ手段２１３により、設定された時間になると、ユーザーＩ／Ｆ手段２１３を介して受信手段２０２に対してチャンネル変更要求を実行する。
【００２８】
印刷装置３００は、受信装置２００とは別の外部機器でもよいし、受信装置２００の内部に存在してもよい。ここでは、外部の独立した印刷装置とする。また、外部Ｉ／Ｆ手段として、一般的に用いられているＵＳＢインターフェース３０１により印刷を制御するものとする。ＵＳＢインターフェース３０１によるプリンタの制御は様々な製品に使用されている機知の技術であるので、ここでは説明は省略する。
【００２９】
図２は、図１における受信装置によって実行される印刷予約処理の手順を示すフローチャートである。
【００３０】
図２において、ステップＳ２０１では、印刷予約命令を受信したかどうか、印刷制御部２１２により判別する。ここで、ユーザーがリモコン２２０を使って印刷予約命令を実行した際に、リモコン２２０からユーザーＩ／Ｆ手段２１３に対して印刷予約命令が送られる。
【００３１】
印刷予約命令を受けたユーザーＩ／Ｆ手段２１３は、命令を受けた瞬間の時刻情報を記録しておく。そして、ストリーム記録領域２１０に記録されているストリームデータの中から、印刷予約命令を受けた瞬間の時刻のストリームデータを印刷用記録領域２１１にコピーする（ステップＳ２０２）（記録手段）。また、ここでは命令を受けた瞬間のストリームデータだけでなく、予め設定されている設定時間に応じた前後のデータを印刷用記録領域２１１にコピーしてもよい。
【００３２】
次に、印刷制御部２１２では、印刷可能な条件かどうかを判別するための、印刷条件チェックプログラムを起動し（ステップＳ２０３）、本処理を終了する。
【００３３】
図３は、図２のステップＳ２０３で実行される印刷条件チェック処理の手順を示すフローチャートである。
【００３４】
図３において、まず、ステップＳ３０１では、番組が終了したかどうかの判別を行う。予約管理部２１５には各番組の番組表が管理されている。ユーザーＩ／Ｆ手段２１３では、現在設定されているチャンネルで放送されている番組の終了時刻を、予約管理部２１５の番組表から調べ、現在視聴中の番組が終了したかどうかを判別する。ここで、番組が終了していればステップＳ３０５に遷移し、そうでなければステップＳ３０２に進む。
【００３５】
ステップＳ３０２では、コマーシャルメッセージ（以下、ＣＭとする）が放送されているかどうかを判別する。ストリーム記録領域２１０に保持されたデータを逐次印刷制御部２１２に送る。
【００３６】
印刷制御部２１２では、ＣＭかどうかのシーン判別アルゴリズムにより判別を行う。ＣＭ検出のアルゴリズムは、実際にＨＤＤレコーダなどにも採用されており、既知の技術である。ここでＣＭであると判断した場合にはステップＳ３０５に遷移し、そうでなければステップＳ３０３に進む。
【００３７】
ステップＳ３０３では、視聴中の番組が切り替わったかどうかを判別する。選択されている番組はユーザーＩ／Ｆ手段２１３により管理されており、リモコン２２０からチャンネル切り替え命令を受けて、受信手段２０２に対してその命令を送り、チャンネルの変更を行っている。
【００３８】
従って、リモコン２２０から現在設定中のチャンネル以外のチャンネル設定の命令を受けた場合にステップＳ３０５に進み、そうでなければステップＳ３０４に進む。尚、この場合の番組切り替えにおいて、視聴予約はユーザーが見たい番組への切り替えであるため、番組切り替え時に印刷プレビューを表示することは好ましくないことから、視聴予約による自動番組切り替えは含めないものとする。
【００３９】
ステップＳ３０４では、電源オフ命令を受信したかどうかを判別する。リモコン２２０から電源オフ命令を受信したユーザーＩ／Ｆ手段２１３は、印刷ジョブが残っているかどうかを印刷制御部２１２に問合せをして、印刷ジョブが残っていれば電源オフ要求を保持したまま、ステップＳ３０５に遷移する。
【００４０】
ここでステップＳ３０１乃至Ｓ３０４は判別手段を構成する。
【００４１】
ステップＳ３０５では、ＵＳＢインターフェース３０１を介して接続されている印刷装置（プリンタ）３００が印刷可能な状態になっているかどうかを判別する。まず、ＵＳＢインターフェース３０１における接続状態として、接続している印刷装置３００がデバイスとして通信できる状態であるかを判別し、更に印刷装置３００のステータスを取得して印刷可能かどうかを判別する。印刷装置３００が印刷可能であれば、ステップＳ３０７に遷移し、印刷が可能でなければステップＳ３０６に遷移する。
【００４２】
ステップＳ３０６では、印刷装置３００の状態が印刷可能な状態であることをユーザーに通知する。印刷装置３００が印刷可能でないと判断した印刷制御部２１２は、印刷装置３００の状態をユーザーＩ／Ｆ手段２１３に通知する。
【００４３】
そして、ユーザーＩ／Ｆ手段２１３は、データデコード手段２０６に対して印刷装置３００が印刷可能でない旨の表示を指示する。データデコード手段２０６は、画像合成手段２０７、表示手段２０８を介して表示部２０９に図７に示すような警告表示を行う。
【００４４】
図７において、“印刷ジョブ有り”を示すアイコン７０１、警告表示部７０２が示される。図に示されるように、印刷ジョブがあるが、印刷装置（プリンタ）３００に電源が入っていないことや、ケーブルに接続されていないことなどを表示する。
【００４５】
ステップＳ３０５において、印刷装置３００の状態が問題ない場合は、ステップＳ３０７において、インクの残量があるかどうかを判別する。印刷制御部２１２により、印刷装置３００に対してインクのステータスを取得する。この場合、ベンダー独自のコマンドで行ってもよい。インク残量が少なければステップＳ３０８に遷移し、インク残量に問題がなければステップＳ３０９に遷移する。
【００４６】
ステップＳ３０８では、印刷装置３００のインク残量が少ないことをユーザーに通知する。印刷装置３００のインク残量が少ないと判断した印刷制御部２１２は、印刷装置３００のインク残量をユーザーＩ／Ｆ手段２１３に通知する。
【００４７】
そして、ユーザーＩ／Ｆ手段２１３は、データデコード手段２０６に対して印刷装置３００のインク残量が少ない旨の表示を指示する。データデコード手段２０６は、画像合成手段２０７、表示手段２０８を介して表示部２０９に図８に示すような警告表示を行う。
【００４８】
図８において、 “印刷ジョブ有り”を示すアイコン８０１、インク警告表示部８０２が示される。図に示されるように、印刷ジョブがあるが、インクの残量が不足していることを表示する。
【００４９】
ステップＳ３０９では、図５に示すような印刷ジョブがあることを通知するための画面を表示する。
【００５０】
図５において、“印刷ジョブ有り”を示すアイコン５０１、印刷ジョブメッセージ５０２が示される。
【００５１】
次に、ステップＳ３１０に進み、ユーザーからの印刷プレビュー実行命令がないか判別する。尚、ステップＳ３０４において電源オフ命令を受けた場合など、直ぐに印刷プレビュー画面をユーザーに提示したい場合には、ステップＳ３０９とＳ３１０の処理は実行せずに、ステップＳ３１１に遷移してもよい。
【００５２】
ステップＳ３１０では、図５に示す表示画面が表示されている間は印刷プレビュー実行命令を待ち続ける。ここで、ユーザーにより、リモコン２２０を介してユーザーＩ／Ｆ手段２１３に対して印刷プレビュー表示の実行命令を受けると、ステップＳ３１１に進み、そうでなければ、ステップＳ３１３に進む。
【００５３】
ステップＳ３１１（表示手段）では、実際に印刷を実行するために、図６に示すような印刷プレビューを表示する。印刷制御部２１２は、ユーザーＩ／Ｆ手段２１３を介して、プレビュー表示する画像データやデータをデータデコード手段２０６に送る。データデコード手段２０６から送られたデータを画像合成手段２０７、表示手段２０８を介して表示部２０９に表示する。
【００５４】
図６において、印刷実行ボタン６０１、印刷キャンセルボタン６０２、印刷画像のスライド映像表示部６０３、印刷画像のスライド表示部６０３の中で選択されている印刷プレビュー画像６０４、印刷の詳細設定を行う印刷設定６０５が示される。また、印刷画像の放送局・番組名・日時の表示部６０６が示される。
【００５５】
ユーザーは印刷画像のスライド映像表示部６０３をスライドさせて、印刷プレビュー画像６０４を見ながら本当に印刷したい印刷画像を決めていく。印刷したい画像があれば印刷実行ボタン６０１により印刷を実行し、印刷したいものがなければ印刷キヤンセルボタン６０２を選択する（ステップＳ３１２）。
【００５６】
いずれのボタンが選択されても、ステップＳ３１３に遷移する。操作はいずれもリモコン２２０を用いてユーザーにより指示され、ユーザーＩ／Ｆ手段２１３を介して実行されていく。
【００５７】
ここで、印刷実行ボタン６０１が選択されれば、ユーザーＩ／Ｆ手段２１３は印刷制御部２１２に対して印刷命令を送り、印刷制御部２１２は、ＵＳＢインターフェース３０１を介して印刷装置３００に印刷実行命令を発行する。
【００５８】
印刷命令を受けた印刷装置３００は、送られてきた画像を印刷し、ステップＳ３１３に進む。一方、印刷キャンセルボタン６０２が押されれば印刷プレビュー表示を終了させて、ステップＳ３１３に進む。
【００５９】
ステップＳ３１３では、ステップＳ３０４の判別により電源オフ命令を受けていたかどうかをユーザーＩ／Ｆ手段２１３により判別する。電源オフ要求を受けていた場合にはステップＳ３１４に進み、電源管理部２１４により受信装置２００の電源を落とし、そうでなければ処理を終了する。
【００６０】
図４は、図１における受信装置によって実行される電源オン時の印刷ジョブ処理の手順を示すフローチャートである。
【００６１】
図４において、ステップＳ４０１では、印刷ジョブが存在しているかどうかを判別する。印刷ジョブ自体は、印刷用記録領域２１１に保持されているものとする。印刷ジョブがある場合には、ステップＳ４０２に遷移し、そうでなければ処理を終える。
【００６２】
ステップＳ４０２は、上述したステップＳ３０９と同じ処理であり、図５に示すような印刷ジョブがあることを通知するための画面を表示して、ステップＳ４０３に遷移する。
【００６３】
ステップＳ４０３は、上述したステップＳ３１０と同じ処理であり、図５に示す表示画面が表示されている間は印刷プレビュー実行命令を待ち続ける。ユーザーにより、リモコン２２０を介してユーザーＩ／Ｆ手段２１３に対して印刷プレビュー表示の実行命令を受けると、ステップＳ４０４に進み、そうでなければ、処理を終了させる。
【００６４】
ステップＳ４０４は、上述したステップＳ３１１と同じ処理であり、実際に印刷を実行するために図６に示すような印刷プレビューを表示する。
【００６５】
ここで、印刷実行ボタン６０１が押されれば、ユーザーＩ／Ｆ手段２１３は、印刷制御部２１２に対して印刷命令を送り、印刷制御部２１２は、ＵＳＢインターフェース３０１を介して印刷装置３００に印刷実行命令を発行する。印刷命令を受けた印刷装置３００は送られてきた画像を印刷して処理を終える。一方、印刷キャンセルボタン６０２が選択されれば印刷プレビュー表示を終了させて処理を終える。
【００６６】
また、例えば、ユーザーが操作するリモコン２２０により、印刷プレビュー命令がユーザーＩ／Ｆ手段２１３に送られてきた場合には、ステップＳ４０１乃至ステップＳ４０３の処理を省略してステップＳ４０４に進み、印刷プレビー画面を表示する。印刷ジョブがなければ、印刷ジョブがない旨の警告表示を行う。
【００６７】
以上、本実施の形態により、ユーザーの視聴を妨げないタイミングで印刷プレビューを表示することが可能となり、ユーザーは視聴の必要ない時間に印刷画像を選択することが可能となる。
【００６８】
また、本発明の目的は、以下の処理を実行することによって達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵなど）が記憶媒体に格納されたプログラムコードを読み出す処理である。
【００６９】
この場合、記憶媒体から読み出されたプログラムコード自体が前述した実施の形態の機能を実現することになり、そのプログラムコード及び該プログラムコードを記憶した記憶媒体は本発明を構成することになる。
【００７０】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭなどである。または、プログラムコードをネットワークを介してダウンロードしてもよい。
【００７１】
また、コンピュータが読み出したプログラムコードを実行することにより、上記実施の形態の機能が実現される場合も本発明に含まれる。加えて、そのプログラムコードの指示に基き、コンピュータ上で稼動しているＯＳ（オペレーティングシステム）などが実際の処理の一部または全部を行い、その処理によって前述した実施形態の機能が実現される場合も含まれる。
【００７２】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基き、その機能拡張ボードや機能拡張ユニットに備わるＣＰＵなどが実際の処理の一部または全部を行う場合である。
【図面の簡単な説明】
【００７３】
【図１】本発明の実施の形態に係る受信装置を含む受信システムの構成図である。
【図２】図１における受信装置によって実行される印刷予約処理の手順を示すフローチャートである。
【図３】図２のステップＳ２０３で実行される印刷条件チェック処理の手順を示すフローチャートである。
【図４】図１における受信装置によって実行される電源オン時の印刷ジョブ処理の手順を示すフローチャートである。
【図５】図１における受信装置の表示部に表示される画面を示す図である（その１）。
【図６】図１における受信装置の表示部に表示される画面を示す図である（その２）。
【図７】図１における受信装置の表示部に表示される画面を示す図である（その３）。
【図８】図１における受信装置の表示部に表示される画面を示す図である（その４）。
【符号の説明】
【００７４】
１００  放送局
２００  受信装置
２０１  受信アンテナ
２０２  受信手段
２０３  データストリーム分離手段
２０４  番組復号化手段
２０５  データ記録領域
２０６  データデコード手段
２０７  画像合成手段
２０８  表示手段
２０９  表示部
２０１  ストリーム記録領域
２１２  印刷用記録領域
２１２  印刷制御部
２２０  リモコン
３００  印刷装置
【図１】
2008148130.tif 000003
【図２】
2008148130.tif 000004
【図３】
2008148130.tif 000005
【図４】
2008148130.tif 000006
【図５】
2008148130.tif 000007
【図６】
2008148130.tif 000008
【図７】
2008148130.tif 000009
【図８】
2008148130.tif 000010